(57)【特許請求の範囲】
【請求項１】
貯蔵室（２）の内壁面にプラスチック製のダクト体（１５）を固定して熱交換室（１６）が区画されており、熱交換室（１６）に熱交換器（１７）とファンユニット（１８）が配置され、ファンユニット（１８）と正対するダクト壁に循環口（２５）が開口されている貯蔵庫であって、
循環口（２５）には、ファンユニット（１８）と、循環口（２５）の周囲壁を補強する補強体（４８）が装着されており、
ファンユニット（１８）には、取付座（３９）と、取付座（３９）に連続して周方向複数個所に締結座（３８）が設けられており、
循環口（２５）には、ファンユニット（１８）の取付座（３９）、および締結座（３８）を受止める、第１装着座（４２）と、第２装着座（４３）が設けられており、
ファンユニット（１８）の取付座（３９）を第１装着座（４２）に装着し、締結座（３８）を第２装着座（４３）に装着し、補強体（４８）を取付座（３９）にあてがって第１装着座（４２）と補強体（４８）で取付座（３９）を挟持した状態で、循環口（２５）の周囲壁と締結座（３８）に挿通したボルト（４９）で補強体（４８）が循環口（２５）に締結固定されていることを特徴とする貯蔵庫。
【請求項２】
ファンユニット（１８）が、ファン本体（３２）と、ファン本体（３２）を回転駆動するモーター（３３）と、ファン本体（３２）の周囲を覆うシュラウド（３４）と、シュラウド（３４）と一体に設けたモーター支持枠（３５）を備えており、
締結座（３８）は、モーター支持枠（３５）と一体に設けられて、厚み寸法が取付座（３９）よりも分厚く形成されており、
第２装着座（４３）に設けたボス（４５）と、締結座（３８）のそれぞれに、ボルト（４９）を挿通するための挿通孔（４６・４０）が形成されており、
ボルト（４９）をダクト体（１５）の外面側から挿通孔（４６・４０）に挿通して、第２装着座（４３）のボス（４５）と締結座（３８）と補強体（４８）の３者がボルト（４９）で共締め固定されている請求項１に記載の貯蔵庫。
【請求項３】
補強体（４８）が金属板材で形成された、外形形状および構造が同じ複数の補強枠体（５０）で構成されており、
ボルト（４９）をねじ込む雌ねじ部（５１）が各補強枠体（５０）と一体に形成されている請求項２に記載の貯蔵庫。
【請求項４】
循環口（２５）の周囲壁の複数個所に、補強枠体（５０）を係合保持する弾性係合爪（５５）が設けられており、
取付座（３９）にあてがった補強枠体（５０）が、弾性係合爪（５５）で仮組み保持されて位置決めされている請求項３に記載の貯蔵庫。
【請求項５】
循環口（２５）の周囲を囲むように循環口（２５）と同形の補強筒壁（４１）が形成されており、
補強筒壁（４１）の内面に第１装着座（４２）および第２装着座（４３）が形成されている請求項１から４のいずれかひとつに記載の貯蔵庫。
【請求項６】
循環口（２５）の外面側に通気可能に構成されたファンカバー（６２）が配置されており、
ファンカバー（６２）が、補強体（４８）を締結固定するボルト（４９）でダクト体（１５）に固定されている請求項１から５のいずれかひとつに記載の貯蔵庫。
【請求項７】
循環口（２５）の周囲壁に、循環口（２５）を通過する熱交換前の空気の温度を測定する温度センサー（５９）が配置されており、
温度センサー（５９）は、循環口（２５）の周囲壁に形成したセンサーポケット（６０）に収容されて、センサーポケット（６０）の開口面を塞ぐ補強体（４８）で固定されている請求項１から６のいずれかひとつに記載の貯蔵庫。
【発明の詳細な説明】
【技術分野】
【０００１】
本発明は、貯蔵室の内壁面に固定したプラスチック製のダクト体で熱交換室を区画し、その内部に熱交換器とファンユニットが配置されている貯蔵庫に関する。
【背景技術】
【０００２】
この種の貯蔵庫は、例えば特許文献１に開示されており公知である。係る特許文献１の冷却貯蔵庫では、天井部分に冷却器が配置されており、該冷却器の下面側を覆うプラスチック製のエアダクトを貯蔵室の内壁面に固定することにより、貯蔵室の上部に冷却器室を区画している。エアダクトには左右２個の吸込口が設けられており、各吸込口には貯蔵室内の空気を冷却室へ導入する冷却ファンが固定されている。また、各吸込み口の前面にはファンカバーが装着されている。
【先行技術文献】
【特許文献】
【０００３】
【特許文献１】特開２０１０−１８１０８５号公報
【発明の概要】
【発明が解決しようとする課題】
【０００４】
例えば店舗内に設置した商品陳列用の貯蔵庫の場合には、陳列形態や見栄えなどを考慮しながら陳列商品を貯蔵室内へ丁寧に収容するため、最上段の棚に収容する陳列商品がエアダクトに接触し、あるいは衝突することはない。しかし、店舗のバックヤードに設置した貯蔵庫の場合には、商品を収容するダンボール箱ごと貯蔵室内へ収容して冷却保管する場合がある。こうした場合には、重量のあるダンボール箱が最上段の棚板の上に勢いをつけて放りこまれ、あるいは箱の一部を棚板に載置したのち勢いをつけて押し込まれるなど乱暴に扱われることが多く、そのためダンボール箱がエアダクトに衝突することがある。
【０００５】
上記のように、ダンボール箱の取り扱いが乱暴であると、衝突するダンボール箱によってエアダクトの一部が変形し、あるいは破損することがある。とくに、特許文献１の冷却貯蔵庫のように、プラスチック成型品で形成したエアダクトの場合には、吸込口の周囲壁の剛性が低いため、吸込口の周囲壁の一部が破損し、あるいは吸込口の周囲壁に割れが生じやすい。また、吸込口の周囲壁に破損や割れが生じると、冷却ファンの駆動に伴う振動によってびびり音が発生する。さらに、吸込口の周囲壁および冷却ファンがびびり振動する状態で冷却ファンが駆動されるため、冷却ファンの送風効率が低下し、冷却器と空気の熱交換効率が低下する。貯蔵室内の空気の循環を整然と行えなくなる不利もある。
【０００６】
本発明の目的は、プラスチック製のダクト体の剛性を増強し構造強度を向上して、ダクト体の破損を防止でき、従って、ファンユニットの送風効率の低下、あるいは熱交換器における熱交換効率の低下を解消できる貯蔵庫を提供することにある。
本発明の目的は、ダクト体の剛性を増強しながら、ダクト体に対するファンユニットの装着を容易に行える貯蔵庫を提供することにある。
【課題を解決するための手段】
【０００７】
本発明は、貯蔵室２の内壁面にプラスチック製のダクト体１５を固定して熱交換室１６が区画されており、熱交換室１６に熱交換器１７とファンユニット１８が配置され、ファンユニット１８と正対するダクト壁に循環口２５が開口されている貯蔵庫を対象とする。循環口２５には、ファンユニット１８と、循環口２５の周囲壁を補強する補強体４８が装着されている。ファンユニット１８には、取付座３９と、取付座３９に連続して周方向複数個所に締結座３８が設けられている。循環口２５には、ファンユニット１８の取付座３９、および締結座３８を受止める、第１装着座４２と、第２装着座４３が設けられている。ファンユニット１８の取付座３９を第１装着座４２に装着し、締結座３８を第２装着座４３に装着し、補強体４８を取付座３９にあてがって第１装着座４２と補強体４８で取付座３９を挟持した状態で、循環口２５の周囲壁と締結座３８に挿通したボルト４９で補強体４８が循環口２５に締結固定されていることを特徴とする。
【０００８】
ファンユニット１８は、ファン本体３２と、ファン本体３２を回転駆動するモーター３３と、ファン本体３２の周囲を覆うシュラウド３４と、シュラウド３４と一体に設けたモーター支持枠３５を備えている。締結座３８は、モーター支持枠３５と一体に設けて、厚み寸法を取付座３９よりも分厚く形成する。第２装着座４３に設けたボス４５と、締結座３８のそれぞれに、ボルト４９を挿通するための挿通孔４６・４０を形成する。ボルト４９をダクト体１５の外面側から挿通孔４６・４０に挿通して、第２装着座４３のボス４５と締結座３８と補強体４８の３者をボルト４９で共締め固定する。
【０００９】
補強体４８を金属板材で形成した、外形形状および構造が同じ複数の補強枠体５０で構成する。ボルト４９をねじ込む雌ねじ部５１を各補強枠体５０と一体に形成する。
【００１０】
循環口２５の周囲壁の複数個所に、補強枠体５０を係合保持する弾性係合爪５５を設ける。取付座３９にあてがった補強枠体５０を、弾性係合爪５５で仮組み保持して位置決めする。
【００１１】
循環口２５の周囲を囲むように循環口２５と同形の補強筒壁４１を形成する。補強筒壁４１の内面に第１装着座４２および第２装着座４３を形成する。
【００１２】
循環口２５の外面側に通気可能に構成されたファンカバー６２を配置する。ファンカバー６２は、補強体４８を締結固定するボルト４９でダクト体１５に固定する。
【００１３】
循環口２５の周囲壁に、循環口２５を通過する熱交換前の空気の温度を測定する温度センサー５９を配置する。温度センサー５９は、循環口２５の周囲壁に形成したセンサーポケット６０に収容して、センサーポケット６０の開口面を塞ぐ補強体４８で固定する。
【発明の効果】
【００１４】
本発明においては、ファンユニット１８の取付座３９および締結座３８を、第１装着座４２および第２装着座４３に装着し、第１装着座４２と補強体４８で取付座３９を挟持した状態で、ファンユニット１８と補強体４８をボルト４９で循環口２５に締結固定した。こうしたダクト体１５によれば、第１装着座４２と取付座３９と補強体４８の３者を一体化して、循環口２５の周囲壁の剛性を増強して構造強度を向上できる。従って、貯蔵室２内への商品の収納が乱暴に行われて、ダクト体１５に大きな外力や衝撃が作用する場合でも、循環口２５の周囲壁などが破損するのを確実に防止できる。また、循環口２５の周囲壁が破損することに伴う、ファンユニット１８の送風効率の低下や、熱交換器１７における熱交換効率の低下を解消できる。
【００１５】
ボルト４９をダクト体１５の外面側から挿通孔４６・４０に挿通して、第２装着座４３のボス４５と分厚い締結座３８と補強体４８の３者をボルト４９で共締め固定すると、締結座３８を第２装着座４３と補強体４８で確りと挟持できる。ファン本体３２やモーター３３を支持するモーター支持枠３５は、締結座３８に一体に設けられているため、第２装着座４３と補強体４８で締結座３８を確りと挟持することにより、ファンユニット１８を強固に循環口２５に装着できる。従って、モーター３３の駆動に伴う振動によってびびり音が発生するのを防止でき、また、ファンユニット１８の駆動に伴う振動に起因する、ファンユニット１８の送風効率の低下を解消でき、熱交換後の空気を貯蔵室２内で適正に循環させることができる。
【００１６】
補強体４８を金属板材で形成すると、剛性の高い補強体４８とすることができ、ボルト４９で締結固定する際に、補強体４８が変形することがなく、循環口２５にファンユニット１８と補強体４８をより強固に装着できる。従って、循環口２５の周囲壁の剛性をさらに増強し構造強度を向上できる。また、補強体４８を外形形状および構造が同じ複数の補強枠体５０で構成すると、補強体４８をリング状の１個の部品で形成する場合に比べて、部品サイズを小型化し補強体４８の製造を容易化できる。また、部品サイズが小さい分、取り扱いが容易となり組付け作業を簡便化できる。外形形状および構造が同じ複数の補強枠体５０によれば、例えば補強枠体５０の外形形状が複数種ある場合に必要な組付け位置の確認作業を省くことができ、補強枠体５０の組付け作業のミスを一掃できる。さらに、雌ねじ部５１を各補強枠体５０と一体に形成すると、別途ボルト４９をねじ込むための部品を用意する必要がなく部品点数を削減できる。
【００１７】
取付座３９にあてがった補強枠体５０を、弾性係合爪５５で仮組み保持して位置決めすると、補強枠体５０を弾性係合爪５５に係合させるだけで循環口２５にファンユニット１８および補強体４８を所定位置に仮固定できる。従って、循環口２５へのファンユニット１８および補強体４８の組付け作業を容易化できる。また、補強枠体５０の雌ねじ部５１にボルト４９をねじ込む際に、補強枠体５０を手で保持する必要がなく、ボルト４９の締結作業を簡便化できる。さらに、ファンユニット１８は、弾性係合爪５５の係合状態を解除しない限り循環口２５から分離しないため、例えばボルト４９に緩みが生じた場合でも、循環口２５に対するファンユニット１８の位置がずれることがない。従って、送風効率が低下することなくファンユニット１８による熱交換用の空気の送給を継続できる。
【００１８】
循環口２５の周囲を囲む補強筒壁４１の内面に第１装着座４２および第２装着座４３を形成すると、補強筒壁４１で循環口２５の周囲壁の剛性をさらに増強して構造強度を向上でき、ダクト体１５が破損するのを確実に防止できる。
【００１９】
補強体４８を締結固定するボルト４９でダクト体１５にファンカバー６２を固定すると、ダクト体１５に対するファンユニット１８および補強体４８の組付け作業と同時にファンカバー６２を固定できる。従って、ダクト体１５に対する補強体４８、ファンユニット１８、ファンカバー６２の３者の組付け作業を簡便化できる。
【００２０】
センサーポケット６０に収容される温度センサー５９を、センサーポケット６０の開口面を塞ぐ補強体４８で固定すると、補強体４８を利用して温度センサー５９を固定するため、温度センサー５９を別途固定するための手間を省くことができる。
【図面の簡単な説明】
【００２１】
【図１】本発明に係るショーケースのダクト体における循環口の横断平面図である。
【図２】ショーケースの正面図である。
【図３】ショーケースの縦断側面図である。
【図４】図２におけるＡ−Ａ線断面図である。
【図５】ダクト体の斜視図である。
【図６】ダクト体からファンカバー、ファンユニット、温度センサー、および補強体を分離した状態を示す側面図である。
【図７】ダクト体からファンユニット、温度センサー、および補強体を分離した状態を示す背面図である。
【図８】ダクト体からファンカバーを分離した状態を示す正面図である。
【図９】図８におけるＢ−Ｂ線断面図である。
【図１０】ダクト体の固定構造を示す説明図である。
【発明を実施するための形態】
【００２２】
（実施例）  図１から図１０に本発明に係る貯蔵庫をリーチイン型の冷蔵ショーケースに適用した実施例を示す。本実施例における前後、左右、上下とは、図２および図３に示す矢印と、各矢印の近傍に表記した前後、左右、上下の表示に従う。両図に示すように、ショーケース本体１の内部には冷蔵室（貯蔵室）２が設けられており、その前面開口部３は左右一対のスライドドア４・４でスライド開閉できる。
【００２３】
各スライドドア４は、前面開口部３の上下に配置したガイド枠５・５でスライド自在に支持されている。各スライドドア４の閉じ先端側の側面には、上下にわたってドアパッキン６が設けられており、各ドアパッキン６の内部には棒状の磁石が配置されている。各ドアパッキン６の磁石が、前面開口部３の左右に配置した縦枠７・７に固定した磁気吸着板に吸着することにより、各スライドドア４が閉じ状態に保持されて、前面開口部３が封止される。冷蔵室２の内部には複数の棚板８が配されており、棚板８上に例えば飲料容器を載置して冷却保管する。ショーケース本体１の下方には機械室１０が配置されており、冷凍機を構成する圧縮器１１、凝縮器１２、および送風ファン１３などが収容されている。
【００２４】
図４に示すように冷蔵室２の上部の内壁面には、プラスチック製のダクト体１５が固定されて熱交換室１６が区画されており、熱交換室１６に冷凍機を構成する蒸発器（熱交換器）１７と２個のファンユニット１８が配置されている。蒸発器１７はショーケース本体１の上壁にブラケット（図示していない）で固定されており、熱交換により冷蔵室２内の空気を冷却する。ファンユニット１８はダクト体１５に装着されており、蒸発器１７に熱交換用の空気を送給し、蒸発器１７で冷却された空気を冷蔵室２内で循環させる。
【００２５】
図４および図５に示すようにダクト体１５は、複数のダクト壁で上面と後面に開口を有する箱体状に形成されている。ダクト壁は、垂直の前壁２０と、略水平の下壁２１と、下壁２１の後端に連続する後壁２２と、前壁２０の下端と下壁２１の前端に連続する傾斜壁２３と、両側端に配置されて各壁２０・２１・２２・２３に連続する左右の側壁２４・２４とで構成されている。先のファンユニット１８は傾斜壁２３の左右に装着されており、各ファンユニット１８と正対する傾斜壁２３にそれぞれ循環口２５が開口されている。下壁２１は、蒸発器１７の除霜時に生じる除霜水を受止めるドレンパンを兼ねており、左右略中央に設けた排水溝２６からショーケース本体１の後壁に設けた排水受け２７へと除霜水を排水する。排水受け２７で受止めた除霜水は、機械室１０の下方に設けたドレンパン２８へと排水される。ダクト体１５の前壁２０と傾斜壁２３には、両壁２０・２３に跨るように逃げ凹部２９が設けられており、冷蔵室２内の照明器具や支柱（図示していない）との接触を回避している。図５において符号３０は、前壁２０および傾斜壁２３の側端寄りを補強する補強リブである。
【００２６】
図１および図７に示すようにファンユニット１８は、ファン羽根を備えるファン本体３２と、ファン本体３２を回転駆動するモーター３３と、ファン本体３２の周囲を覆うシュラウド３４と、シュラウド３４と一体に設けたモーター支持枠３５を備えている。シュラウド３４は入口側の開口直径が大きく、出口側の開口直径が小さいベルマウス型に形成されている。モーター支持枠３５は、モーター３３が固定されるモーターホルダー３６と、モーターホルダー３６の周縁から延設されて、モーターホルダー３６とシュラウド３４を連結する４個の支持アーム３７と、各支持アーム３７の先端に一体に設けられる締結座３８とを備えている。支持アーム３７は、モーターホルダー３６の周方向に等間隔おきに形成されている。シュラウド３４の入口側には、隣接する締結座３８の間において、取付座３９がそれぞれ外向きに張り出し形成されている。これにより、シュラウド３４の外周部に締結座３８と取付座３９とが交互に連続する状態で配置されている。締結座３８は、その厚み寸法が取付座３９よりも分厚く形成されており、トラスねじ（ボルト）４９を挿通するための挿通孔４０が形成されている。
【００２７】
図６および図７に示すように循環口２５は、４個の凹所が周方向に等間隔で設けられた略円状の開口であり、この循環口２５の周囲を囲むように、循環口２５と同形の補強筒壁４１が傾斜壁２３の内面側に形成されている。補強筒壁４１の後側の内面には、ファンユニット１８の取付座３９を受止める第１装着座４２と、締結座３８を受止める第２装着座４３が形成されている。循環口２５の円弧縁部分に第１装着座４２が形成され、凹所部分に第２装着座４３が形成されて、第１装着座４２と第２装着座４３とは循環口２５の周囲に交互に設けられている。これら第１装着座４２および第２装着座４３の先端部分で真円状の開口が形成されている。第１装着座４２は断面Ｌ字状に形成されており、取付座３９を受止めた際に第１装着座４２が撓み変形するのを防止している（図１参照）。第２装着座４３の外面側にはボス４５が設けられており、ボス４５および第２装着座４３を貫通するようにトラスねじ４９を挿通するための挿通孔４６が形成されている（図９参照）。ファンユニット１８の取付座３９および締結座３８を、第１装着座４２および第２装着座４３で受止めた状態では、補強筒壁４１の先端面４１ａと、締結座３８および取付座３９の挟持座面３８ａ・３９ａとは面一状になっている（図１、図９参照）。
【００２８】
循環口２５には、ファンユニット１８と共に、循環口２５の周囲の傾斜壁（ダクト壁）２３を補強する金属製の補強体４８が装着されている。図７に示すように補強体４８はステンレス鋼板（金属板材）で形成された、外形形状および構造が同じ２個の補強枠体５０で構成されており、各補強枠体５０にトラスねじ４９がねじ込まれる２個の雌ねじ部５１が一体に形成されている。雌ねじ部５１は、ステンレス鋼板にバーリング加工を施し、形成された貫通孔にタップ加工を施して形成する。補強枠体５０は、第１装着座４２で受止められた取付座３９を挟持する挟持板部５２と、第２装着座４３で受止められた締結座３８を挟持する上下の固定板部５３とで三日月状に形成されており、図７において上下中央を通る中央線を対称軸にして線対称に形成されている。固定板部５３に先の雌ねじ部５１が形成されている。挟持板部５２の内方縁部の外形形状は、取付座３９の形状に対応する円弧状に形成されている。
【００２９】
ダクト体１５へのファンユニット１８および補強体４８の装着を容易化するために、循環口２５の周囲の傾斜壁２３の複数個所に、補強枠体５０を係合保持する弾性係合爪５５が設けられている。この実施例では、図７に示すように循環口２５の左半周面と右半周面のそれぞれに３個の弾性係合爪５５を設けて、各弾性係合爪５５に補強枠体５０の上下および中央を係合することにより、補強枠体５０を係合保持できるようにした。上下の弾性係合爪５５と中央の弾性係合爪５５は、補強枠体５０の周縁を対向する状態で係合する。補強筒壁４１の左右には、同筒壁４１に連続して２個の受止め座５６がそれぞれ設けられており、弾性係合爪５５で係合保持されている補強枠体５０は、補強筒壁４１および受止め座５６で受止められている。また、弾性係合爪５５の係合部分に隣接する固定板部５３には規制突片５７が設けられており、弾性係合爪５５で係合保持されている補強枠体５０が、同枠体５０の長手方向へ移動するのを規制突片５７で規制している。なお、補強枠体５０の短手方向への移動は、弾性係合爪５５により規制されている。ファンユニット１８の取付座３９および締結座３８を、第１装着座４２および第２装着座４３に装着し、２個の補強枠体５０を弾性係合爪５５で係合保持することにより、ファンユニット１８および補強枠体５０は、仮組み保持されて位置決めされる。
【００３０】
循環口２５の周囲の傾斜壁２３に、循環口２５を通過する熱交換前の空気の温度を測定する温度センサー５９が配置されている。図１および図６に示すように温度センサー５９は、補強筒壁４１に隣接して形成したセンサーポケット６０に収容されており、センサーポケット６０の開口面を補強枠体５０（補強体４８）で塞ぐことにより、温度センサー５９が固定されている。補強枠体５０の温度センサー５９に対応する部分には２個の通気開口６１が形成されて、温度センサー５９に直接熱交換風が接触するようにしている（図７参照）。温度センサー５９は、左右いずれか一方の循環口２５に設けられる。
【００３１】
循環口２５の外面側には、循環口２５を覆うように通気可能に構成されたファンカバー６２が配置されている。図１および図８に示すようにファンカバー６２は、略丸枠状のカバー枠６３と、カバー枠６３の開口を通気自在に区分する皿状の格子体６４とで構成されている。また、カバー枠６３は、上側左右の後面に、傾斜壁２３に開口した係止口６５（図８参照）に係止される係止フック６６を備えており、下側左右にトラスねじ４９を挿通するための挿通孔６７が形成されている。ファンカバー６２は、係止口６５に係止フック６６を係止した状態で、トラスねじ４９を利用して、ダクト体１５に固定される。
【００３２】
ここで、ダクト体１５へのファンユニット１８および補強体４８の装着手順を説明する。まず、取付座３９を第１装着座４２に装着し、締結座３８を第２装着座４３に装着する。次いで、センサーポケット６０に温度センサー５９を収容し、２個の補強枠体５０の挟持板部５２をファンユニット１８の左右に形成した取付座３９の挟持座面３９ａにそれぞれあてがって、補強枠体５０を弾性係合爪５５に係合させる。これにより、補強枠体５０は弾性係合爪５５で仮組み保持され位置決めされる。この状態では、取付座３９は第１装着座４２と補強枠体５０の挟持板部５２で挟持されており、締結座３８は第２装着座４３と補強枠体５０の固定板部５３で挟持されている。また、補強枠体５０でセンサーポケット６０の開口面の一部を塞ぐことにより、温度センサー５９がセンサーポケット６０に固定される。
【００３３】
次に、上側２個のトラスねじ４９をダクト体１５の外面側から第２装着座４３のボス４５、および締結座３８に形成した挿通孔４６・４０に挿通し、補強枠体５０の雌ねじ部５１にねじ込んで締結固定する。最後に、ファンカバー６２の係止フック６６を係止口６５に差込んで係止し、下側２個のトラスねじ４９をファンカバー６２の外面側から挿通孔６７・４６・４０に挿通し、補強枠体５０の雌ねじ部５１にねじ込んで締結固定する。これにて、ダクト体１５へのファンユニット１８、補強体４８、およびファンカバー６２の装着が完了する。
【００３４】
ファンユニット１８、補強体４８、およびファンカバー６２の装着が完了したダクト体１５は、冷蔵室２の上部に固定された蒸発器１７を覆うように冷蔵室２の内壁面に固定される。図５に示すようにダクト体１５の逃げ凹部２９には、２個の内固定座７０が形成され、左右の側壁２４・２４にはそれぞれ外固定座７１が形成されている。図１０に示すように各外固定座７１の後端をショーケース本体１の上壁内面に固定した支持フック７２に係止したのち、トラスねじ７３を内固定座７０および外固定座７１に形成した挿通孔７４に挿通し、ショーケース本体１の上壁に内装したナット７５にねじ込む。これにて、冷蔵室２の内壁面へのダクト体１５の固定が完了し、冷蔵室２の上部にファンユニット１８と蒸発器１７を収容する熱交換室１６が区画される。
【００３５】
以上のように本実施例のショーケースにおいては、第１装着座４２と補強体４８で取付座３９を挟持して循環口２５に補強体４８をトラスねじ４９で締結固定したので、第１装着座４２と取付座３９と補強体４８の３者を一体化して、循環口２５の周囲壁の剛性を増強して構造強度を向上できる。従って、貯蔵室２内への商品の収納が乱暴に行われて、ダクト体１５に大きな外力や衝撃が作用する場合でも、循環口２５の周囲壁などが破損するのを確実に防止できる。また、循環口２５の周囲壁が破損することに伴う、ファンユニット１８の送風効率の低下や、蒸発器１７における熱交換効率の低下を解消できる。
【００３６】
第２装着座４３のボス４５と締結座３８と補強体４８の３者をトラスねじ４９で共締め固定したので、締結座３８を第２装着座４３と補強体４８で確りと挟持できる。従って、ファンユニット１８を強固に循環口２５に装着でき、モーター３３の駆動に伴う振動によってびびり音が発生するのを防止できる。また、ファンユニット１８の駆動に伴う振動に起因する、ファンユニット１８の送風効率の低下を解消でき、熱交換後の空気を貯蔵室２内で適正に循環させることができる。
【００３７】
補強体４８を金属板材で形成したので、トラスねじ４９による締結固定の際の補強体４８の変形を防止して、循環口２５にファンユニット１８と補強体４８をより強固に装着でき、循環口２５の周囲壁の剛性をさらに増強し構造強度を向上できる。また、補強体４８を外形形状および構造が同じ複数の補強枠体５０で構成したので、補強体４８をリング状の１個の部品で形成する場合に比べて、部品サイズを小型化し補強体４８の製造を容易化できる。また、部品サイズが小さい分、取り扱いが容易となり組付け作業を簡便化できる。外形形状および構造が同じ複数の補強枠体５０によれば、例えば補強枠体５０の外形形状が複数種ある場合に必要な組付け位置の確認作業を省くことができ、補強枠体５０の組付け作業のミスを一掃できる。さらに、雌ねじ部５１を各補強枠体５０と一体に形成したので、別途トラスねじ４９をねじ込むための部品を用意する必要がなく部品点数を削減できる。
【００３８】
取付座３９にあてがった補強枠体５０を、弾性係合爪５５で仮組み保持して位置決めしたので、補強枠体５０を弾性係合爪５５に係合させるだけで循環口２５にファンユニット１８および補強体４８を所定位置に仮固定できる。従って、循環口２５へのファンユニット１８および補強体４８の組付け作業を容易化できる。また、補強枠体５０の雌ねじ部５１にトラスねじ４９をねじ込む際に、補強枠体５０を手で保持する必要がなく、トラスねじ４９の締結作業を簡便化できる。さらに、ファンユニット１８は、弾性係合爪５５の係合状態を解除しない限り循環口２５から分離しないので、例えばトラスねじ４９に緩みが生じた場合でも、循環口２５に対するファンユニット１８の位置がずれることがない。従って、送風効率が低下することなくファンユニット１８による熱交換用の空気の送給を継続できる。
【００３９】
循環口２５の周囲を囲む補強筒壁４１の内面に第１装着座４２および第２装着座４３を形成したので、補強筒壁４１で循環口２５の周囲壁の剛性をさらに増強して構造強度を向上でき、ダクト体１５が破損するのを確実に防止できる。
【００４０】
補強体４８を締結固定するトラスねじ４９でダクト体１５にファンカバー６２を固定したので、ダクト体１５に対するファンユニット１８および補強体４８の組付け作業と同時にファンカバー６２を固定できる。従って、ダクト体１５に対する補強体４８、ファンユニット１８、ファンカバー６２の３者の組付け作業を簡便化できる。
【００４１】
センサーポケット６０に収容される温度センサー５９を、センサーポケット６０の開口面を塞ぐ補強体４８で固定したので、補強体４８を利用して温度センサー５９を固定して、温度センサー５９を別途固定するための手間を省くことができる。
【００４２】
上記の実施例では、補強体４８を２個の補強枠体５０で構成したが、３個以上の補強枠体５０で構成してもよい。弾性係合爪５５は２個、あるいは４個以上設けることができる。例えば弾性係合爪５５が２個の場合には、弾性係合爪５５が補強枠体５０の対向周縁に係合して仮組み保持できるようにすればよい。また、補強枠体５０を位置決めする位置決めピンなどの構造を別途設けてもよい。本発明は、実施例で示した冷蔵ショーケース以外に、氷や加工食品などを冷凍保存する冷凍ショーケース、あるいは料理を保温する温蔵ショーケースなどにも適用することができる。
【符号の説明】
【００４３】
２  貯蔵室
１５  ダクト体
１６  熱交換室
１７  熱交換器（蒸発器）
１８  ファンユニット
２５  循環口
３２  ファン本体
３３  モーター
３４  シュラウド
３５  モーター支持枠
３８  締結座
３９  取付座
４０  挿通孔
４１  補強筒壁
４２  第１装着座
４３  第２装着座
４５  ボス
４６  挿通孔
４８  補強体
４９  ボルト（トラスねじ）
５０  補強枠体
５１  雌ねじ部
５５  弾性係合爪
５９  温度センサー
６０  センサーポケット
６２  ファンカバー
【図１】
0006355590.tif 000002
【図２】
0006355590.tif 000003
【図３】
0006355590.tif 000004
【図４】
0006355590.tif 000005
【図５】
0006355590.tif 000006
【図６】
0006355590.tif 000007
【図７】
0006355590.tif 000008
【図８】
0006355590.tif 000009
【図９】
0006355590.tif 000010
【図１０】
0006355590.tif 000011